(57)【特許請求の範囲】
【請求項１】
被制御機器にリモコン信号を送信するリモコン信号送信部と、電話回線を介して入力されたコントロ−ル信号を記憶する記憶部と、前記記憶部に記憶されているコントロ−ル信号に基づいて前記リモコン信号送信部からリモコン信号を送信させる制御部とを備えたリモ−トコントロ−ルホ−ムオ−トメ−ション装置において、前記制御部は、電話回線から前記被制御機器を停止させる停止信号を受信したとき、当該被制御機器を停止させるリモコン信号を前記リモコン信号送信部から送信させるとともに、前記記憶部に記憶されているコントロ−ル信号が動作指令及び停止指令を含んでいて、且つこの動作指令に基づいて既に当該被制御機器を動作させるリモコン信号を送信している場合には当該コントロ−ル信号の停止指令を消去することを特徴とするリモ−トコントロ−ルホ−ムオ−トメ−ション装置。
【請求項２】
被制御機器にリモコン信号を送信するリモコン信号送信部と、電話回線を介して入力されたコントロ−ル信号を記憶する記憶部と、前記記憶部に記憶されているコントロ−ル信号に基づいて前記リモコン信号送信部からリモコン信号を送信させる制御部とを備えたリモ−トコントロ−ルホ−ムオ−トメ−ション装置において、前記制御部は、電話回線から記憶取消信号を受信したとき、前記記憶部に記憶されているコントロ−ル信号が動作指令及び停止指令を含んでいて、且つこの動作指令に基づいて既に当該被制御機器を動作させるリモコン信号を送信している場合には当該被制御機器を停止させるリモコン信号を前記リモコン信号送信部から送信させるとともに、当該コントロ−ル信号を消去することを特徴とするリモ−トコントロ−ルホ−ムオ−トメ−ション装置。
【発明の詳細な説明】
【０００１】
【発明の属する技術分野】
本発明は、エアコン、ビデオ機器などの被制御機器を電話回線を介してコントロ−ルするリモ−トコントロ−ルホ−ムオ−トメ−ション装置に関する。
【０００２】
【従来の技術】
従来、家庭や事務所等に設けられているエアコン、ビデオ機器等の被制御機器を電話回線を介して制御するリモ−トコントロ−ルホ−ムオ−トメ−ション装置としては、外部の電話機から電話回線を介して入力されたコントロ−ル信号をデコ−ドしてエアコンのオン、オフ信号やビデオ機器の録画信号等に変換して出力するコントロ−ラとエアコン、ビデオ機器等の被制御機器とを有線で接続した構成のものがある。
また、被制御機器に赤外線等のリモコン信号を送信するリモコンを備え、電話回線に接続されているコントロ−ラとリモコンとを有線で接続した構成のものもある。
このような構成のリモ−トコントロ−ルホ−ムオ−トメ−ション装置は、装置が複雑であるとともに有線接続部分があり、工事が必要であるため高価である。また、被制御機器が限定されているため汎用性がない。
【０００３】
そこで、本出願人は、簡単な構成で有線接続部部が少なく、汎用性があるリモ−トコントロ−ルホ−ムオ−トメ−ション装置を開発し、出願した（特願平７−４１２２号）。
このリモ−トコントロ−ルホ−ムオ−トメ−ション装置は、予約機能を備えているので、外部電話機又は併設電話機から電話回線を介して所望の被制御機器の制御を予約することができる。
上記予約機能は、電話回線を介して被制御機器の動作を予約するコントロ−ル信号を受信すると、記憶部に記憶したうえ、予約時間がくると動作開始用のリモコン信号を送信することにより当該被制御機器を動作させ、予約時間が終了すると停止用のリモコン信号を送信することにより当該被制御機器を停止させるものである。
【０００４】
【発明が解決しようとする課題】
一般に、エアコン等の被制御機器は、電源をオン、オフさせるリモコン信号としては同じ信号が用いられ、リモコン信号送信部からリモコン信号が送信される毎に電源がオン・オフするようになっている。
一方、上記従来のリモ−トコントロ−ルホ−ムオ−トメ−ション装置は、電話回線から被制御機器を停止させる停止信号を受信すると、リモコン信号送信部から停止用リモコン信号を送信する。このとき、動作開始指令と停止指令をセットで予約した予約機能等により被制御機器が動作状態になっている場合には、リモコン信号送信部からの停止用リモコン信号によって当該被制御機器の電源がオフし、その動作が停止する。しかしながら、停止用リモコン信号を受信しても、当該停止指令デ−タは記憶部に残ったままなので、その予約終了時間に達するとリモコン信号送信部から停止用リモコン信号が送信される。このため、一旦オフになった被制御機器の電源がオンされ、再び動作状態になるという問題がある。
【０００５】
また、電話回線から被制御機器の予約取消信号を受信すると、記憶部に記憶された予約デ−タが消去される。このとき、動作開始指令と停止指令をセットで予約した予約機能等によって当該被制御機器が動作状態になっている場合には、当該予約デ−タが消去されるため、本来、予約終了時間に達すると送信されるべき停止用リモコン信号が出力されず、当該被制御機器の電源がオンしたままの状態になるという問題がある。
【０００６】
そこで本発明では、電話回線から停止信号や予約取消信号等の被制御機器の動作を停止させる信号を受信したとき、当該被制御機器の動作を確実に停止させることができるリモ−トコントロ−ルホ−ムオ−トメ−ション装置を提供することを課題とする。
【０００７】
【課題を解決するための手段】
上記課題を解決するために、請求項１の発明は、被制御機器にリモコン信号を送信するリモコン信号送信部と、電話回線を介して入力されたコントロ−ル信号を記憶する記憶部と、前記記憶部に記憶されているコントロ−ル信号に基づいて前記リモコン信号送信部からリモコン信号を送信させる制御部とを備えたリモ−トコントロ−ルホ−ムオ−トメ−ション装置において、前記制御部は、電話回線から前記被制御機器を停止させる停止信号を受信したとき、当該被制御機器を停止させるリモコン信号を前記リモコン信号送信部から送信させるとともに、前記記憶部に記憶されているコントロ−ル信号が動作指令及び停止指令を含んでいて、且つこの動作指令に基づいて既に当該被制御機器を動作させるリモコン信号を送信している場合には当該コントロ−ル信号の停止指令を消去するように構成する。
【０００８】
また、請求項２の発明は、被制御機器にリモコン信号を送信するリモコン信号送信部と、電話回線を介して入力されたコントロ−ル信号を記憶する記憶部と、前記記憶部に記憶されているコントロ−ル信号に基づいて前記リモコン信号送信部からリモコン信号を送信させる制御部とを備えたリモ−トコントロ−ルホ−ムオ−トメ−ション装置において、前記制御部は、電話回線から記憶取消信号を受信したとき、前記記憶部に記憶されているコントロ−ル信号が動作指令及び停止指令を含んでいて、且つこの動作指令に基づいて既に当該被制御機器を動作させるリモコン信号を送信している場合には当該被制御機器を停止させるリモコン信号を前記リモコン信号送信部から送信させるとともに、当該コントロ−ル信号を消去するように構成する。
【０００９】
請求項１のリモ−トコントロ−ルホ−ムオ−トメ−ション装置によれば、電話回線から被制御機器を停止させる停止信号を受信したとき、停止用のリモコン信号を送信するとともに、既にリモコン信号が送信されて被制御機器が動作状態になっている場合には、当該被制御機器に係るコントロ−ル信号の停止指令を消去する。
【００１０】
また、請求項２のリモ−トコントロ−ルホ−ムオ−トメ−ション装置によれば、電話回線から記憶取消信号を受信したとき、既にリモコン信号が送信されて被制御機器が動作状態になっている場合には停止用リモコン信号を送信して当該被制御機器を停止させるとともに、記憶部に記憶されているコントロ−ル信号を消去する。
【００１１】
【発明の実施の形態】
次に、本発明の実施の形態を図面に基づいて説明する。
図１は、エアコンやビデオ機器等の被制御機器Ｍを外部電話機Ｔ又は併設電話機ＴＥから電話回線を介して入力されるコントロ−ル信号に基づいて制御するリモ−トコントロ−ルホ−ムオ−トメ−ション装置（以下、「リモコン装置」という）の一実施の形態の概略構成図である。
リモコン装置１０は、ケ−ス１１の外面に操作部１３、表示部１４、電話回線Ｌのモジュラ−ジャックと接続される電話回線接続用コネクタ１５、併設電話機ＴＥと接続される併設電話機用コネクタ１６が設けられている。この電話回線接続用コネクタ１５及び併設電話機用コネクタ１６は、電話回線Ｌに適合するインタ−フェイス回路を構成する電話回線制御回路１７と接続されている。
電話回線制御回路１７には、電話回線を介して受信した音声信号の中からＤＴＭＦト−ン（プッシュト−ン）を認識するためのＤＴＭＦト−ン検出回路１８と、電話回線Ｌに対して応答のための音や音声を発生させる発音回路１９が接続されている。このＤＴＭＦト−ン検出回路１８及び発音回路１９は、マイコン１２に接続されている。
リモコン信号送信部２０は、マイコン１２の指令により被制御機器Ｍに対して赤外線等のリモコン信号を送信する。
また、リモコン信号受信部２１は、被制御機器Ｍそれぞれの専用リモコンＲから送信される赤外線等のリモコン信号を受信し、その受信信号を電気信号に変換してマイコン１２に出力する。
マイコン１２は、記憶部２２にプリセットされている各メ−カ−毎のリモコン信号の中から任意のメ−カ−のリモコン信号を選択するメ−カ−設定機能、リモコン信号受信部２１で受信したリモコン信号を学習して記憶するリモコン信号学習機能、外部電話機Ｔ又は併設電話機ＴＥから電話回線を介して入力したコントロ−ル信号に基づいて被制御機器にリモコン信号を送信する予約機能、テストモ−ドに切り替えて指定した操作内容に相当するリモコン信号を送信するテスト機能等を備えている。
【００１２】
図２は、図１の電話回線制御回路１７の構成を示したものである。
電話回線Ｌ、電話回線接続用コネクタ１５を介して呼出信号が入力されると、この呼出信号は、併設電話機切替スイッチ３５、併設電話機使用検出回路３６及び併設電話機用コネクタ１６を介して併設電話機ＴＥに出力されるとともに、呼出信号検出回路３１に出力される。呼出信号検出回路３１は、呼出信号を受信して検出信号をマイコン１２に出力する。
マイコン１２は、検出信号に基づいて呼出信号の受信回数を計数し、受信回数がリモコン装置１０の設定回数に達すると、オフフックスイッチ３２を閉路して電話回線ＬとＤＴＭＦト−ン検出回路１８及び発音回路１９とを接続する。同時に、スイッチ３５を開路して併設電話機ＴＥの使用を禁止する。
一方、受信回数が設定回数に達する前に併設電話機ＴＥの留守番電話回路等が動作した場合には併設電話機ＴＥへの電話回線に所定の電流が流れる。この電流は併設電話機使用検出回路３６によって検出される。マイコン１２は、受信回数が設定回数に達する前に併設電話機使用検出回路３６から信号が出力された場合には、併設電話機ＴＥが電話回線Ｌと接続されたことを判別する。
なお、通常オフフックスイッチ３２には並列に接点保護回路３３が設けられており、オフフックスイッチ３２が開路している状態でも接点保護回路３３を介して電話回線Ｌ及び併設電話機ＴＥとＤＴＭＦト−ン検出回路１８及び発音回路１９との間で信号が伝送される。
【００１３】
次に、リモコン装置１０の予約機能について説明する。
（１）リモコン装置１０が電話回線Ｌと接続した場合
図３のフロ−チャ−トに示すように、まず、外部電話機Ｔから電話する（ステップＡ１）。
呼出信号の受信回数がリモコン装置１０の設定回数に達すると、マイコン１２によりオフフックスイッチ３２が閉路されるとともに、スイッチ３５が開路され、リモコン装置１０と電話回線Ｌとが接続される（ステップＡ２）。
次に、発音回路１９から暗証番号要求音が出力され（ステップＡ３）、暗証番号要求音の受信に応答して外部電話機Ｔから暗証番号が送信される（ステップＡ４）。
入力した暗証番号が所定の暗証番号と一致すると、発音回路１９からコントロ−ル要求音が出力され（ステップＡ５）、コントロ−ル要求音の受信に応答して外部電話機Ｔからコントロ−ル信号が出力される（ステップＡ６）。
コントロ−ル信号を送信する際の操作を、例えば、ビデオ機器の録画予約を行うコントロ−ル信号を送信する場合について説明する。コントロ−ル要求音の受信に応答して外部電話機Ｔから「ビデオ録画」の指示が出されると、「テレビチャンネルＮＯ」の指示要求音が出力される。次に、テレビチャンネルＮＯ指示要求音の受信に応答して外部電話機Ｔから「テレビチャンネルＮＯ」を指示すると、「録画開始時間」の指示要求音が出力される。次に、録画開始時間指示要求音の受信に応答して外部電話機Ｔから「録画開始時間」（現在から開始するまでの時間）、即ち動作指令を指示すると、「録画時間」の指示要求音が出力される。次に、録画時間指示要求音の受信に応答して外部電話機Ｔから「録画時間」、即ち停止指令を指示する。
上記のように外部電話機Ｔから対話型にコントロ−ル信号が出力され、予約が行われる他に、外部電話機Ｔから「ビデオ録画」、「テレビチャンネルＮＯ」、「録画開始時間」、「録画時間」を一括送信する方式も行われる。
以上のようにしてコントロ−ル信号の送信が終了すると、発音回路１９から要求内容了解音が出力される（ステップＡ７）ため、その後、電話を切る（ステップＡ８）。
尚、この時、コントロ−ル信号に含まれている開始時間が「０」、すなわち直ちに実行させる場合には、コントロ−ル信号に含まれている操作内容に相当するリモコン信号をリモコン信号送信部２０から送信する（ステップＡ９）。
一方、コントロ−ル信号に含まれている開始時間が「０」でない、すなわち予約である場合には、コントロ−ル信号を記憶部２２に記憶する。
マイコン１２は、記憶部２２に記憶したコントロ−ル信号に含まれている開始時間に達したら、コントロ−ル信号に含まれている操作内容に相当するリモコン信号をリモコン信号送信部２０から送信する。
【００１４】
（２）併設電話機ＴＥが電話回線Ｌと接続した場合
図４のフロ−チャ−トに示すように、まず、外部電話機Ｔから電話する（ステップＢ１）。
呼出信号の受信回数がリモコン装置１０の設定回数に達する前に併設電話機ＴＥの留守番電話回路等が動作して併設電話機ＴＥと電話回線Ｌとが接続された場合には、電話回線Ｌに流れる電流を併設電話機使用検出回路３６が検出するので、マイコン１２は併設電話機ＴＥが電話回線Ｌと接続されたことを判別する（ステップＢ２）。
この時には、発音回路１９から暗証番号要求音が出力される。
次いで外部電話機Ｔから暗証番号が入力されると（ステップＢ３）、この暗証番号は併設電話機ＴＥに伝送されるとともに、接点保護回路３３を介してＤＴＭＦト−ン検出回路１８に伝送される。
そして、暗証番号がリモコン装置１０の暗証番号と一致した時には、図３に示したリモコン装置１０が電話回線Ｌと接続した場合と同様に、発音回路１９からコントロ−ル要求音が出力され（ステップＢ４）、外部電話機Ｔからコントロ−ル信号が入力され（ステップＢ５）、発音回路１９から要求内容了解音が出力される（ステップＢ６）ため、電話を切る（ステップＢ７）。そのあと、予約でない場合にはリモコン信号が送信される（ステップＢ８）。一方コントロ−ル信号が予約の場合には、コントロ−ル信号を記憶部２２に記憶する。
なお、録画開始時刻、録画終了時刻等のように時刻を表示するようにしてもよい。
【００１５】
次に、被制御機器Ｍをオフにするのを忘れて外出した場合等において、被制御機器Ｍの動作を外部電話機Ｔ等から停止操作する停止操作処理について説明する。
図５は上記停止操作処理のフロ−チャ−トである。
外部電話機Ｔ等から例えばエアコンを停止させる停止信号がリモコン装置１０に入力される（ステップＣ１）と、エアコンに停止用リモコン信号を送信して停止させる（ステップＣ２）。次に、エアコンに対して既にリモコン信号が送信され、エアコンの予約が実行中であるか否かを判断する（ステップＣ３）。そして当該予約が実行中であると判断した場合には、記憶部２２の当該予約デ−タを消去（ステップＣ４）する。
一方、ステップＣ３でエアコンの予約が実行中でないと判断した場合にはこの処理を終了する。
この停止操作処理により、予約が実行中の場合には、予約デ−タが消去されるため、従来のリモコン装置で問題となっていた停止用リモコン信号の送信による被制御機器Ｍの再度の動作開始を阻止することができる。
【００１６】
次に、リモコン装置１０に対する上記予約が行われたあと、外部電話機Ｔ等から予約取消をする処理について説明する。
図６は上記予約取消操作処理のフロ−チャ−トである。
外部電話機Ｔ等から例えば、エアコンに対する予約取消信号がリモコン装置１０に入力されると（ステップＤ１）、記憶部２２にエアコンに関する予約があるか否かを判断する（ステップＤ２）。この判断において予約が無ければ発音回路１９から予約無しのレスポンスを出力させ（ステップＤ３）たあと、この予約取消操作処理を終了する。
一方、ステップＤ２において記憶部２２にエアコンに関する予約デ−タがあると判断した場合には、エアコンの予約のオン中であるか否かを判断する（ステップＤ４）。そして予約のオン中でなければ、この予約取消操作処理を終了する一方、予約のオン中であれば、エアコンに停止用リモコン信号を送信して停止させる（ステップＤ５）。次に、当該予約デ−タを取り消す（ステップＤ６）。
この予約取消操作処理により、記憶部２２における当該予約デ−タを取り消すとともに、当該予約のオン中であると判断した場合には、被制御機器Ｍに停止用リモコン信号を送信して停止させるため、従来のリモコン装置で問題となっていた当該被制御機器Ｍが動作したままになるという問題を解決することができる。
【００１７】
【発明の効果】
以上説明したように、請求項１に記載のリモ−トコントロ−ルホ−ムオ−トメ−ション装置を用いれば、電話回線から停止信号を受信したとき、停止用リモコン信号を送信するとともに、記憶部に記憶されているコントロ−ル信号が動作指令及び停止指令を含んでいて、且つこの動作指令に基づいて既に当該被制御機器を動作させるリモコン信号を送信している場合には、コントロ−ル信号が消去されるので当該被制御機器の動作を確実に停止させることができる。
【００１８】
請求項２に記載のリモ−トコントロ−ルホ−ムオ−トメ−ション装置を用いれば、電話回線から予約取消信号を受信したとき、記憶部に記憶されているコントロ−ル信号が動作指令及び停止指令を含んでいて、且つこの動作指令に基づいて既に当該被制御機器を動作させるリモコン信号を送信している場合には、当該被制御機器を停止させるリモコン信号を前記リモコン信号送信部から送信するとともに、当該コントロ−ル信号を消去するので当該被制御機器の動作を確実に停止させることができる。
【図面の簡単な説明】
【図１】リモ−トコントロ−ルホ−ムオ−トメ−ション装置の一実施の形態の概略構成図である。
【図２】図１の電話回線制御回路の構成図である。
【図３】予約機能を説明するためのフロ−チャ−ト図である。
【図４】予約機能を説明するためのフロ−チャ−ト図である。
【図５】停止操作処理のフロ−チャ−ト図である。
【図６】予約取消操作処理のフロ−チャ−ト図である。
【符号の説明】
１０  リモ−トコントロ−ルホ−ムオ−トメ−ション装置
１７  電話回線制御回路
１８  ＤＴＭＦト−ン検出回路
１９  発音回路
１２  マイコン
２０  リモコン信号送信部
２１  リモコン信号受信部
２２  記憶部
Ｔ    外部電話機
Ｍ    被制御機器
Ｒ    リモコン
【図１】
0003690548.tif 000002
【図２】
0003690548.tif 000003
【図３】
0003690548.tif 000004
【図４】
0003690548.tif 000005
【図５】
0003690548.tif 000006
【図６】
0003690548.tif 000007